(57)【要約】【課題】加熱対象物を効果的に温めることができる上に、端末内部から送風ファンを排除することができる温水端末およびこれに用いられる温水コンセントを提供する。【解決手段】本発明の温水端末３は、放熱部４と、温風加熱部５とを備えている。放熱部４は，熱源機に通じた往き側配管２１と戻り側配管２２とに連通接続される。また放熱部４は、内部を流通する熱媒によって発熱し、これにより加熱を行う。温風加熱部５は、外部の送風装置に接続される通風路５１を有している。また温風加熱部５は、この通風路５１内を流通する空気に熱媒からの熱が伝導するように構成される。そして、この通風路５１には複数の吹き出し孔５２が設けられている。【選択図】図２
2015190677.tif 000002
【特許請求の範囲】
【請求項１】
熱源機に通じた往き側配管と戻り側配管とに連通接続され、内部を流通する熱媒によって発熱し、これにより加熱を行う放熱部と、
外部の送風装置に接続される通風路を有しており、この通風路内を流通する空気に前記熱媒からの熱が伝導するように構成され、この通風路に複数の吹き出し孔が設けられた温風加熱部と
を備えている
ことを特徴とする温水端末。
【請求項２】
前記放熱部は、前記往き側配管と前記戻り側配管とに連通接続される熱媒路を有しており、
前記通風路は、前記熱媒路に隣り合って配置されている
ことを特徴とする請求項１記載の温水端末。
【請求項３】
前記吹き出し孔は、前記通風路の上流側に向かうほど、孔面積が小さく形成されている
ことを特徴とする請求項１または請求項２に記載の温水端末。
【請求項４】
前記放熱部および前記温風加熱部は、フレキシブル配管によって構成され、これにより変形自在となっている
ことを特徴とする請求項１〜３のいずれか一項に記載の温水端末。
【請求項５】
請求項１〜４のいずれか一項に記載の温水端末が接続される温水コンセントであって、
前記熱源機の往き側配管に連通する往き側接続口と、
前記熱源機の戻り側配管に連通する戻り側接続口と、
室内側に開口し室内空気を前記外部の送風装置へと取り込むための空気取り込み口と、
前記送風装置から送られた空気を室内側に送り込むための空気送出口と
を備えている
ことを特徴とする温水コンセント。
【請求項６】
請求項１〜４のいずれか一項に記載の温水端末と、請求項５に記載の温水コンセントとが用いられる温水端末システムであって、
前記温水端末と、
この温水端末が接続される前記温水コンセントと、
この温水コンセントを介して前記温水端末に空気を送る送風装置と
を備え、
前記送風装置は、
前記温水コンセントの前記空気取り込み口と前記送風装置とを繋ぎ、室内の空気が流通する戻り送風路と、
前記送風装置と屋外とを繋ぎ、屋外の空気が流通する外気取り込み路と、
前記送風装置に供給する空気を前記戻り送風路を介して供給するか、外気取り込み路を介して供給するかを切り替える切替手段と、
前記送風装置と前記空気送出口とを繋ぎ、前記送風装置から送られた空気が流通する往き送風路と
を有しており、
前記温水端末の吹き出し孔から吹き出される空気を、切替手段によって、外気から取り込んだ空気と室内空気から取り込んだ空気とのいずれかに切り替え可能に構成されたものである
ことを特徴とする温水端末システム。
【請求項７】
前記室内の空気の温度および湿度を検出する屋内温湿度検知器と、
前記屋外の空気の温度および湿度を検出する屋外温湿度検知器と、
前記屋内温湿度検知器と前記屋外温湿度検知器とにより検知された温度値および湿度値に基づいて、切替手段を切り替える制御装置と
をさらに備えている
ことを特徴とする請求項６記載の温水端末システム。
【発明の詳細な説明】
【技術分野】
【０００１】
本発明は、温水端末，これに用いられる温水コンセント，及びこれらを用いた温水端末システムに関する。
【背景技術】
【０００２】
特許文献１には、従来の温水端末が開示されている。この特許文献１記載の温水端末器は、熱源機に接続されている。温水端末器は、複数の縦管を有しており、熱源機により加熱された水（熱媒）が内部を流通する。縦管は、熱媒が内部に流通すると、当該熱媒と熱交換して温度上昇する。すると、温度上昇した縦管は、ユーザー等の対象物を輻射加熱して暖めたり、縦管に掛けられた濡れたタオル等を熱伝導によって乾燥させたりする。
【０００３】
しかしながら、この特許文献１記載の温水端末器では、対象物を温める場合、輻射熱のみによって対象物を温めるものに過ぎないため、時間を要するという問題がある。また、タオル等を乾燥させる場合、縦管に接触していない箇所には、輻射加熱で乾燥させることになるが、輻射熱だけでは乾燥させづらいという問題がある。
【０００４】
一方、装置本体に、熱源機に接続された熱交換器と、送風ファンとを内蔵した温水端末（いわゆる、ファンコンベクター）が存在する（例えば、特許文献２参照）。このファンコンベクターは、内部に設けられた送風ファンによって、温風を吹き出して対象物を温める。
【先行技術文献】
【特許文献】
【０００５】
【特許文献１】特開２００４−３５３９７０号公報
【特許文献２】特開２００９−１３８９５９号公報
【発明の概要】
【発明が解決しようとする課題】
【０００６】
しかしながら、このファンコンベクターは、熱交換器に加えて、送風ファンを内蔵したものであるため、設計上の制約が大きい。しかも、送風ファンが内蔵されているため、内部に充分な空気を取り込む必要があって、充分な給気ができる環境が必要である。
【０００７】
すなわち、このファンコンベクターでは、装置全体を設計するに当たり、送風ファンの大きさや送風ファンの配置場所を考慮する必要があって大型化しやすいという問題がある。また、ファンコンベクター自体の設置場所についても、装置自体を充分な給気ができる場所に設置しなくてはならないという制約もある。
【０００８】
本発明は、上記事情に鑑みてなされたものであり、その目的とするところは、加熱対象物を効果的に温めることができる上に、端末内部から送風ファンを排除することができ、さらに、設置場所の制約も少ない温水端末，これに用いられる温水コンセント，及びこれらを用いた温水端末システムを提供することにある。
【課題を解決するための手段】
【０００９】
請求項１に係る本発明の温水端末は、熱源機に通じた往き側配管と戻り側配管とに連通接続され、内部を流通する熱媒によって発熱し、これにより加熱を行う放熱部と、外部の送風装置に接続される通風路を有しており、この通風路内を流通する空気に前記熱媒からの熱が伝導するように構成され、この通風路に複数の吹き出し孔が設けられた温風加熱部とを備えていることを特徴とする。
【００１０】
このように、請求項１に係る発明は、内部を熱媒が流通すると、放熱部が発熱し、また通風路を流通する空気が加熱される。これにより、放熱部による加熱に加え、温風加熱部による温風で加熱を行うことができるため、加熱対象物を効果的に温めることができる上に、加熱対象物を乾燥させたい場合にも、温風によって効果的に乾燥させることができる。しかも、本発明の温水端末は、送風装置が外部に設けられており、送風装置を内蔵していないため、設計上、送風装置の位置等を考慮する必要がなく、つまり、設計上の自由度が高い。また、外部の送風装置から空気の供給を受けるため、端末自体を空気を充分に取り込める場所に配置する必要がなく、設置場所の制約も少ない。
【００１１】
また請求項２に係る発明は、請求項１に係る発明において、前記放熱部は、前記往き側配管と前記戻り側配管とに連通接続される熱媒路を有しており、前記通風路は、前記熱媒路に隣り合って配置されている。
【００１２】
このため、請求項２に係る発明は、熱媒路を流れる熱媒の熱を通風路内の空気に伝熱するに当たり、熱ロスを抑制することができる。この結果、熱媒の温度を上げなくても、吹き出し孔から吹き出す温風の温度を上昇させることができる。
【００１３】
また請求項３に係る発明は、請求項１または請求項２に係る発明において、前記吹き出し孔は、前記通風路の上流側に向かうほど、孔面積が小さく形成されている。
【００１４】
このため、請求項３に係る発明は、吹き出し孔から吹き出す温風の流量を、通風路の上流側に向かうほど抑制することができる。この結果、通風路の下流側にも空気を送ることができる。
【００１５】
また請求項４に係る発明は、請求項１〜３のいずれか一項に係る発明において、前記放熱部および前記温風加熱部は、フレキシブル配管によって構成され、これにより変形自在となっている。
【００１６】
このため、請求項４に係る発明によれば、ユーザーの所望の形状に変形させることができる。
【００１７】
また請求項５に係る発明は、請求項１〜４のいずれか一項に記載の温水端末が接続される温水コンセントであって、前記熱源機の往き側配管に連通する往き側接続口と、前記熱源機の戻り側配管に連通する戻り側接続口と、室内側に開口し室内空気を前記外部の送風装置へと取り込むための空気取り込み口と、前記送風装置から送られた空気を室内側に送り込むための空気送出口とを備えていることを特徴とする。
【００１８】
このため、請求項５に係る発明によれば、外部に設けられた送風装置から空気を供給し、熱源機から熱媒を供給することができるため、上記温水端末を接続するだけで対象物を効果的に加熱することができる。
【００１９】
また、請求項６に係る発明は、請求項１〜４のいずれか一項に記載の温水端末と、請求項５に記載の温水コンセントとが用いられる温水端末システムであって、前記温水端末と、この温水端末が接続される前記温水コンセントと、この温水コンセントを介して前記温水端末に空気を送る送風装置とを備え、前記送風装置は、前記温水コンセントの前記空気取り込み口と前記送風装置とを繋ぎ、室内の空気が流通する戻り送風路と、前記送風装置と屋外とを繋ぎ、屋外の空気が流通する外気取り込み路と、前記送風装置に供給する空気を前記戻り送風路を介して供給するか、外気取り込み路を介して供給するかを切り替える切替手段と、前記送風装置と前記空気送出口とを繋ぎ、前記送風装置から送られた空気が流通する往き送風路とを有しており、前記温水端末の吹き出し孔から吹き出される空気を、切替手段によって、外気から取り込んだ空気と室内空気から取り込んだ空気とのいずれかに切り替え可能に構成されたものである。
【００２０】
このため、請求項６に係る発明によれば、温水端末の吹き出し孔から吹き出す空気として、外気と室内空気とのいずれかに切り替えることができる。この結果、外の新鮮な空気を吹き出し孔から吹き出させることができ、また、外の空気を室内に取り込むことが不快な場合（例えば、外気の湿度が高い場合等）には、室内の空気を吹き出し孔から吹き出させることができる。
【００２１】
また、請求項７に係る発明は、請求項６に係る発明において、前記室内の空気の温度および湿度を検出する屋内温湿度検知器と、前記屋外の空気の温度および湿度を検出する屋外温湿度検知器と、前記屋内温湿度検知器と前記屋外温湿度検知器とにより検知された温度値および湿度値に基づいて、切替手段を切り替える制御装置とを備えている。
【００２２】
このように、請求項７に係る発明は、屋外の空気の温湿度と、屋内の空気の温湿度との値に基づいて、制御装置が切替手段を切り替える。このように、請求項７に係る発明によれば、制御装置によって自動で切替手段が切り替えられるため、ユーザーの手間を省くことができる。
【発明の効果】
【００２３】
本発明の温水端末によれば、加熱対象物を効果的に温めて、効果的に乾燥することができる上に、端末内部から送風ファンを排除することができる。
【図面の簡単な説明】
【００２４】
【図１】実施形態１の温水端末および温水コンセントの斜視図である。
【図２】実施形態１の温水端末および温水コンセントの断面図である。
【図３】実施形態１の温水端末の要部斜視図である。
【図４】実施形態１の温水端末システムのブロック図である。
【図５】図５Ａは、実施形態１の温水端末の断面図である。図５Ｂは、実施形態１の温水端末の変形例の断面図である。図５Ｃは、実施形態１の温水端末の更なる変形例の断面図である。
【図６】実施形態２の温水端末の平面図である。
【図７】図７Ａは、実施形態３の温水端末の斜視図である。図７Ｂは、図７ＡのＸ−Ｘ線断面図である。図７Ｃは、図７ＡのＹ−Ｙ線断面図である。図７Ｄは、図７ＡのＺ−Ｚ線断面図である。
【図８】実施形態４の温水端末の斜視図である。
【図９】図９Ａは、実施形態４の温水端末の断面図である。図９Ｂは、実施形態３の温水端末の変形例の断面図である。図９Ｃは、実施形態３の温水端末の更なる変形例の断面図である。図９Ｄは、実施形態３の温水端末の更なる変形例の断面図である。
【図１０】実施形態５の温水端末の斜視図である。
【図１１】実施形態５の温水端末の使用状態の側面図である。
【図１２】実施形態６の温水端末の使用状態の斜視図である。
【発明を実施するための形態】
【００２５】
以下、本発明の実施形態について添付図面に基づいて説明する。
【００２６】
（実施形態１）
実施形態１の温水端末システムは、熱源機１８から送られる熱媒と、送風装置２から送られる空気とを利用した温水端末３及び温水コンセント１を備えたシステムである。温水端末３は、図１に示すように、温水コンセント１に接続されて使用される棒状の加熱装置である。温水端末３は、図２，３に示すように、温水コンセント１に着脱自在に接続される温水プラグ３１と、輻射（放射）によって伝熱する放熱部４と、温風を吹き出してその温風によって伝熱する温風加熱部５とを備えている。温水端末３は、熱媒により高温となって放熱するだけでなく、同時に熱媒から熱を受け取った空気を吹き出すことで、輻射による伝熱と対流による伝熱との両方によって対象物を加熱する。本実施形態の温水端末３は、外部に設けられた送風装置２から空気の供給を受けるように構成されており、従って、送風ファンを内蔵していない。
【００２７】
温水コンセント１は、図１に示すように、壁に設けられている。温水コンセント１には、温水端末３の温水プラグ３１が着脱自在に接続される。温水コンセント１は、コンセント本体１１と、往き側接続口１２と、戻り側接続口１３と、空気送出口１４と、空気取り込み口１５とを備えている。
【００２８】
コンセント本体１１は、正面視矩形状をしており、温水コンセント１の外郭を形成する。コンセント本体１１には、温水プラグ３１の筒状接続口３２が嵌め込まれる環状の凹所１６が設けられている。また、コンセント本体１１は、開閉自在な開閉蓋１７を備えている。開閉蓋１７は、壁面に沿って上下方向にスライド移動可能となっている。開閉蓋１７は、下方に移動することで、往き側接続口１２と戻り側接続口１３と空気送出口１４と空気取り込み口１５とを覆い、閉状態となる。一方、開閉蓋１７は、上方に移動することで、往き側接続口１２と戻り側接続口１３と空気送出口１４と空気取り込み口１５とを露出させ、開状態となる。
【００２９】
往き側接続口１２は、図４に示すように、熱源機１８の往き側配管２１に連通接続されている。往き側接続口１２は、室内側に向かって開口している。往き側接続口１２には、熱源機１８によって加熱された熱媒が、壁側から室内側に向かって流通する。
【００３０】
戻り側接続口１３は、熱源機１８の戻り側配管２２に連通接続されている。戻り側接続口１３は、室内側に向かって開口している。戻り側接続口１３には、温水端末３と熱交換した後の熱媒が、室内側から壁側に向かって流通する。戻り側接続口１３は、往き側接続口１２に並んで配置されている。
【００３１】
空気取り込み口１５は、室内空気を外部の送風装置２へと取り込むために設けられている。空気取り込み口１５は、後述の戻り送風路２３（送風装置２に接続されて空気を取り込むための流路である）に連通接続される。空気取り込み口１５は室内側に向かって開口している。この空気取り込み口１５は、送風装置２が駆動すると、その負圧によって室内空気を取り込むように構成される。
【００３２】
空気送出口１４は、往き側接続口１２と戻り側接続口１３との間に設けられている。空気送出口１４は、後述の往き送風路２４（送風装置２に接続されて空気を送り出すための流路である）に連通接続されている。空気送出口１４は、室内側に向かって開口している。この空気送出口１４は、送風装置２が駆動すると、空気が壁側から室内側に向かって流通する。
【００３３】
送風装置２は、空気を送る装置であり、例えば、送風ファンや、コンプレッサーによって構成される。送風装置２は、往き送風路２４と、戻り送風路２３と、外気取り込み路２５と、切替手段２７とを備えている。
【００３４】
往き送風路２４は、上述の通り、送風装置２と空気送出口１４とを繋ぐ流路である。往き送風路２４には送風装置２から送られた空気が流通する。戻り送風路２３は、空気取り込み口１５と送風装置２とを繋ぐ流路である。この戻り送風路２３には、室内の空気が流通する。また、外気取り込み路２５は、屋外に設けられた外気取り込み口２６と送風装置２とを繋ぐ流路である。この外気取り込み路２５には屋外の空気が流通する。
【００３５】
戻り送風路２３と外気取り込み路２５の途中には切替手段２７が設けられている。切替手段２７は、送風装置２に供給する空気を、戻り送風路２３を介して供給するか、外気取り込み路２５を介して供給するかを切り替える。切替手段２７は、例えば、複数の電磁弁によって構成される。この切替手段２７は、制御装置２８によって駆動制御される。
【００３６】
本実施形態の温水端末システムは、屋内温湿度検知器２９と、屋外温湿度検知器３０と、制御装置２８とを備えている。屋内温湿度検知器２９は、屋内の室内の空気の温度および湿度を検出する。屋内温湿度検知器２９は、湿度センサーと温度センサーとを１つの筐体内に内蔵したものであってもよいし、湿度センサーと温度センサーとが別々の場所に設けられたものであってもよい。また、屋内温湿度検知器２９は、例えば、居室の壁に設けられてもよいし、温水端末３に設けられてもよい。
【００３７】
屋外温湿度検知器３０は、屋外の空気の温度および湿度を検出する。屋外温湿度検知器３０は、屋内温湿度検知器２９と同様、湿度センサーと温度センサーとを１つの筐体内に内蔵したものであってもよいし、湿度センサーと温度センサーとが別々の場所に設けられたものであってもよい。屋外温湿度検知器３０は、例えば、外壁に取り付けられる。
【００３８】
制御装置２８は、屋外温湿度検知器３０と、屋内温湿度検知器２９とに電気的に接続されている。制御装置２８は、屋外温湿度検知器３０及び屋内温湿度検知器２９から、温度値および湿度値の信号が入力されると、この温度値および湿度値に基づいて、切替手段２７の駆動を制御する。
【００３９】
制御装置２８は、屋外温湿度検知器３０により検知された温度値が、屋内温湿度検知器２９により検知された温度値よりも低い場合に（つまり、屋外の温度が屋内の温度よりも低い場合に）、室内空気を送風装置２に供給するように切替手段２７を切り替える。また、制御装置２８は、屋外温湿度検知器３０により検知された湿度値が、屋内温湿度検知器２９により検知された湿度値よりも高い場合に（つまり、屋外の湿度が屋内の湿度よりも高い場合に）、室内空気を送風装置２に供給するように切替手段２７を切り替える。
【００４０】
なお、制御装置２８は、通常時は、屋外の空気を送風装置２に供給するように切替手段２７を駆動制御する。
【００４１】
屋外の温度が屋内の温度よりも低い場合、または、屋外の湿度が屋内の湿度よりも高い場合に送風装置２が駆動すると、室外の空気が外気取り込み口２６を介して外気取り込み路２５内に取り込まれ、この空気は送風装置２に到達する。そして、送風装置２から送風された空気は、往き送風路２４内に送り込まれ、これにより、空気送出口１４から室内側に空気が送出される。
【００４２】
それ以外の場合に送風装置２が駆動すると、室内空気が、空気取り込み口１５を介して戻り送風路２３内に取り込まれ、この空気は送風装置２に到達する。そして、送風装置２から送風された空気は、往き送風路２４内に送り込まれ、これにより、空気送出口１４から室内側に空気が送り出される。
【００４３】
このような構成の温水コンセント１には、温水端末３の温水プラグ３１が着脱自在に嵌め込まれる。
【００４４】
温水プラグ３１は、図１に示すように、筒状接続口３２がコンセント本体１１の凹所１６に嵌め込まれることで、温水コンセント１に接続される。筒状接続口３２の内部には、二次側往き接続口３３と、二次側戻り接続口３４と、二次側空気用接続口３５とが設けられている。二次側往き接続口３３と二次側戻り接続口３４とは、後述の熱媒路４１を介して連通している。
【００４５】
二次側往き接続口３３は、筒状接続口３２が凹所１６に嵌め込まれると、温水コンセント１の往き側接続口１２に連通接続される。二次側往き接続口３３には、熱源機１８によって加熱された熱エネルギーの高い熱媒が流通する。すなわち、温水端末３は、二次側往き接続口３３を介して、熱エネルギーの供給を受ける。
【００４６】
二次側戻り接続口３４は、筒状接続口３２が凹所１６に嵌め込まれると、温水コンセント１の戻り側接続口１３に連通接続される。二次側戻り接続口３４には、温水端末３によって消費された熱エネルギーの低い熱媒が流通する。
【００４７】
二次側空気用接続口３５は、筒状接続口３２が凹所１６に嵌め込まれると、温水コンセント１の空気送出口１４に連通接続される。二次側空気用接続口３５には、送風装置２によって送られた空気が流通する。すなわち、温水端末３は、二次側空気用接続口３５を介して、空気の供給を受ける。
【００４８】
この温水プラグ３１には、図３に示すような放熱部４と温風加熱部５とが連結されている。
【００４９】
放熱部４は、熱源機１８との間で循環する熱媒から熱を受け取って発熱し、これにより加熱対象物に輻射加熱を行う。放熱部４は、内部に熱媒路４１を有している。放熱部４は、アルミニウムやステンレス等の熱伝導性のよい（熱伝導率の高い）金属によって構成されている。放熱部４は、内部に熱媒が流通すると、熱媒から熱の伝導を受け、これによって発熱する。本実施形態の放熱部４は、アルミ製の配管によって構成されている。
【００５０】
温風加熱部５は、外部の送風装置２から供給された空気を、熱媒と熱交換した上で、外に吹き出し、対流加熱を行う。温風加熱部５は、通風路５１と、吹き出し孔５２とを備えている。通風路５１は、二次側空気用接続口３５に通じており、温水プラグ３１が温水コンセント１に接続されると、外部の送風装置２に接続される。
【００５１】
通風路５１は、内部を流通する空気に熱媒からの熱が伝導するように構成されている。具体的に説明すると、図５Ａに示すように、通風路５１は、熱媒路４１に隣り合って配置されている。特に、通風路５１は、熱媒路４１の往き側の流路（往路４２）に隣接しており、これにより、通風路５１内を流通する空気に熱が伝わりやすくなっている。なお、図５Ａ中の符号４３は、熱媒路４１の復路である。
【００５２】
温風加熱部５には、吹き出し孔５２が設けられている。吹き出し孔５２は、通風路５１と外部とを連通する。吹き出し孔５２は、図３に示すように、通風路５１に沿って複数並んで設けられており、一定の間隔を置いて設けられている。吹き出し孔５２の孔径は、通風路５１の上流側に向かうほど、小さくなるように形成されている。言い換えると、吹き出し孔５２は、通風路５１の上流側に向かうほど、孔面積が小さく形成されている。
【００５３】
なお、本実施形態の吹き出し孔５２は断面円形に形成されているが、断面矩形状であってもよく、孔の形状は特に限定されない。
【００５４】
また、制御装置２８は、熱源機１８と温水端末３との間を循環する熱媒の流動を制御する。制御装置２８は、例えば、壁面に設けられたリモコンと通信できるように構成されている。制御装置２８は、熱源機１８の駆動を制御してもよいし、往き側配管２１に設けられた熱動弁の駆動を制御してもよい。これにより、制御装置２８は、温水端末３と熱源機１８との間で熱媒を循環させたり、熱媒の流通を停止させたりすることができる。また、制御装置２８は、送風装置２をＯＮ／ＯＦＦさせる制御を行うことができる。
【００５５】
このような構成の温水端末３は、温水プラグ３１が温水コンセント１に接続された状態で、リモコンから運転開始の信号を受けると、制御装置２８は、例えば熱動弁を開放させ、さらに、送風装置２を駆動させる。これによって、温水端末３と熱源機１８との間で熱媒が循環し、温水端末３に空気が供給される。
【００５６】
すると、放熱部４は、熱媒と熱交換して熱を受け取って発熱する。このとき、通風路５１を流通する空気は、熱媒から熱を受け取ることで温度が上昇し、この後、吹き出し孔５２から吹き出される。これにより、温水端末３は、加熱対象物に対して、放熱部４からの熱の放射と、吹き出し孔５２から温風を吹き出すことによる対流とで、熱を伝えることができる。
【００５７】
本実施形態の温水端末３は、通風路５１が熱媒路４１に隣り合って配置されたものであるが、その態様としては、例えば、図５Ｂ，図５Ｃに示すような態様が挙げられる。
【００５８】
図５Ｂに示す温水端末３は、第１の配管６１と、第２の配管６２と、第３の配管６３とが同心円状に配置される。第１の配管６１の外径は、第２の配管６２の内径よりも小さく、且つ、第２の配管６２の外径は、第３の配管６３の内径よりも小さくなるように形成される。
【００５９】
熱媒路４１の往路４２は、第１の配管６１と第２の配管６２との間に形成される。また、熱媒路４１の復路４３は、第１の配管６１の内部に形成される。また、通風路５１は、第３の配管６３と第２の配管６２との間に形成される。従って、通風路５１は、熱媒路４１に隣り合って配置されており、これにより、通風路５１内を流通する空気に熱媒からの熱が伝導するように構成されている。
【００６０】
なお、この場合の放熱部４は、第３の配管６３により構成される。第３の配管６３は、熱媒と熱交換することで高温となった第２の配管６２から輻射による熱伝導を受けることで温度上昇する。また、温風加熱部５は、第３の配管６３の断面において、周方向の全長に亙って複数配置された吹き出し孔５２と、通風路５１とにより構成される。
【００６１】
図５Ｃに示す温水端末３は、第４の配管６４と第５の配管６５とが並んだ状態で一体成形されている。第４の配管６４内は、円弧状に仕切られている。
【００６２】
第４の配管６４において、円形状の箇所が通風路５１であり、第４の配管６４において通風路５１以外の箇所が熱媒路４１の往路４２である。第４の配管６４において通風路５１に対応する箇所に吹き出し孔５２が設けられる。また、第５の配管６５の内部が熱媒路４１の復路４３である。これにより、熱媒からの熱が、通風路５１内を流通する空気に伝導するように構成されている。
【００６３】
以上説明したように、本実施形態の温水端末３は、放熱部４と、温風加熱部５とを備えている。放熱部４は、熱源機１８に通じた往き側配管２１と戻り側配管２２とに連通接続されており、内部を流通する熱媒によって発熱する。これにより、放熱部４は輻射加熱を行う。温風加熱部５は、外部の送風装置２に接続される通風路５１を有している。温風加熱部５は、この通風路５１内を流通する空気に熱媒からの熱が伝導するように構成されており、通風路５１に複数の吹き出し孔５２が設けられる。
【００６４】
このため、本実施形態の温水端末３は、放熱部４によって輻射熱による加熱を行い、また、温風加熱部５によって対流による加熱を行うことができるため、加熱対象物を効果的に温めることができる上に、加熱対象物を乾燥させたい場合にも、温風によって効果的に乾燥させることができる。しかも、本実施形態の温水端末３は、送風装置２が外部に設けられており、送風装置２を内蔵する必要がないため、設計上、送風装置２の位置等を考慮する必要がなく、つまり、設計上の自由度が高い。また、外部の送風装置２から空気の供給を受けるため、端末３自体を空気を充分に取り込める場所に配置する必要がなく、設置場所の制約も少ない。
【００６５】
また、本実施形態の放熱部４は、温水コンセント１の往き側配管２１と戻り側配管２２とに連通接続される熱媒路４１を有している。通風路５１は、この熱媒路４１に隣り合って配置されている。
【００６６】
このため、本実施形態の温水端末３によれば、通風路５１内を流通する空気に効率よく熱を伝導することができる。この結果、熱媒の温度を上げなくても、吹き出し孔５２から吹き出す温風の温度を上昇させることができる。
【００６７】
また、本実施形態の吹き出し孔５２は、通風路５１の上流側に向かうほど、孔面積が小さく形成されている。
【００６８】
このように、本実施形態の温水端末３によれば、吹き出し孔５２から吹き出す温風の流量を、通風路５１の上流側に向かうほど抑制することができるため、通風路５１の下流側にも空気を送ることができる。
【００６９】
また、本実施形態の温水端末システムは、温水端末３と、温水コンセント１と、送風装置２とを備えている。送風装置２は、温水コンセント１を介して温水端末３に空気を送る。送風装置２は、戻り送風路２３と、外気取り込み路２５と、切替手段２７と、往き送風路２４とを有している。戻り送風路２３は、温水コンセント１の空気取り込み口１５と送風装置２８とを繋ぎ、室内の空気が流通する。外気取り込み路２５は、送風装置２８と屋外に開口する外気取り込み口２６とを繋ぎ、屋外の空気が流通する。切替手段２７は、送風装置に供給する空気を前記戻り送風路を介して供給するか、外気取り込み路を介して供給するかを切り替える。往き送風路２４は、送風装置２８と空気送出口１４とを繋ぎ、送風装置２８から送られた空気が流通する。これにより、温水端末システムは、温水端末３の吹き出し孔５２から吹き出される空気を、切替手段２７によって、外気から取り込んだ空気と室内空気から取り込んだ空気とのいずれかに切り替えることができる。
【００７０】
このため、本実施形態の温水端末システムによれば、温水端末３の吹き出し孔５２から吹き出される空気として、外気と室内空気とのいずれかに切り替えることができる。この結果、外の新鮮な空気を吹き出し孔５２から吹き出させることができ、また、外の空気を室内に取り込むことが不快な場合（例えば、外気の湿度が高い場合等）には、室内の空気を吹き出し孔から吹き出させることができる。
【００７１】
また、本実施形態の温水端末システムは、屋内温湿度検知器２９と、屋外温湿度検知器３０と、制御装置２８とを備えている。屋内温湿度検知器２９は、室内の空気の温度および湿度を検出する。屋外温湿度検知器３０は、屋外の空気の温度および湿度を検出する。制御装置２８は、屋内温湿度検知器２９と屋外温湿度検知器３０とにより検知された温度値および湿度値に基づいて、切替手段２７を切り替える。
【００７２】
このように、本実施形態の温水端末システムは、屋外の空気の温湿度と、屋内の空気の温湿度との値に基づいて、制御装置２８が切替手段を切り替える。このため、制御装置２８によって自動で切替手段２７が切り替えられるため、ユーザーの手間を省くことができる。
【００７３】
また、本実施形態の制御装置２８は、屋外温湿度検知器３０により検知された屋外の温度が、屋内温湿度検知器２９により検知された屋内の温度よりも低い場合と、屋外温湿度検知器３０により検知された室外の湿度が、屋内温湿度検知器２９により検知された屋内の湿度よりも高い場合とに、送風装置２８に室内空気を供給するように切替手段２７を制御する。
【００７４】
このため、本実施形態の温水端末システムは、屋外の温度が屋内の温度よりも低い場合には、屋外の低温度の空気を取り込まないようにできるため、温水端末から吹き出される温風の温度が低下するのを防ぐことができる。また、屋外の湿度が屋内の湿度よりも高い場合にも屋外の空気を取り込まないようにできるため、加熱対象物の乾燥効果が低下するのを防ぐことができる。
【００７５】
また、本実施形態の温水端末システムは、通常時は、送風装置２８に屋外空気を供給するように切替手段２７が切り替えられる。
【００７６】
このため、本実施形態の温水端末システムによれば、新鮮な外気の空気によって、暖房や乾燥を行うことができる。
【００７７】
（実施形態２）
次に、実施形態２について図６に基づいて説明する。なお、本実施形態は、実施形態１と大部分において同じであるため、同じ部分においては説明を省略し、主に異なる部分について説明する。
【００７８】
実施形態２の温水端末３は、手元暖房機である。この温水端末３は、実施形態１の温水端末３と同様、温水プラグ３１と、放熱部４と、温風加熱部５とを備えている。本実施形態の温水端末３は、フレキシブル配管６６の内部に熱媒路４１と通風路５１とを備えた構成である。放熱部４は、フレキシブル配管６６の外郭と熱媒路４１とによって構成される。また、温風加熱部５は、フレキシブル配管６６内に設けられた通風路５１と、通風路５１に設けられた吹き出し孔５２とによって構成される。
【００７９】
すなわち、本実施形態の放熱部４および温風加熱部５は、フレキシブル配管６６によって構成されており、図６のように巻き回したり、また、直線状にしたり、自由に変形させることができる。
【００８０】
温水端末３は、例えば、机上や床等に置いて使用される。このとき温水端末３の吹き出し孔５２は、上方に臨むように設けられる。温水端末３は、送風装置２と熱源機１８とが駆動すると、フレキシブル配管６６が発熱し、吹き出し孔５２から温風を吹き出す。これにより、温水端末３は、輻射熱による加熱と、対流による加熱の両方で加熱対象物を温めることができる。
【００８１】
このように、本実施形態の温水端末３は、放熱部４および温風加熱部５は、フレキシブル配管６６によって構成され、これにより変形自在となっている。
【００８２】
このため、本実施形態の温水端末３によれば、ユーザーの所望の形状に変形させることができる。
【００８３】
（実施形態３）
次に、実施形態３について図７Ａ，７Ｂ，７Ｃに基づいて説明する。なお、本実施形態は、実施形態１と大部分において同じであるため、同じ部分については説明を省略し、主に異なる部分について説明する。
【００８４】
実施形態３の温水端末３は、靴等の履物９４の中に挿入されて使用される履物乾燥機である。この温水端末３は、実施形態１の温水端末３と同様、温水プラグ３１と、放熱部４と、温風加熱部５とを備えている。本実施形態の温水端末３は、直管部６７と、この直管部６７から分岐した分岐部６８と、一対の挿入部６９とを備えている。
【００８５】
挿入部６９は、靴等の中に挿入される部分である。挿入部６９は、分岐部６８の分岐した両端部に連通接続されている。挿入部６９は、環状部７０と、縦部７１とによって構成される。縦部７１は分岐部６８の端部から上下方向に延出している。環状部７０は、縦部７１の下端に設けられている。環状部７０には、上方に開口する吹き出し孔５２が設けられている。
【００８６】
図７Ｂには、直管部６７の断面（Ｘ−Ｘ線断面図）が、図７Ｃには、縦部７１と挿入部６９との連結箇所の断面（Ｙ−Ｙ線断面図）が、図７Ｄには挿入部６９の断面（Ｚ−Ｚ線断面図）が記載されている。
【００８７】
直管部６７には、熱媒路４１の往路４２と復路４３とが設けられており、さらに通風路５１が設けられている。挿入部６９には、熱媒路４１の往路４２と通風路５１とが設けられている。挿入部６９の通風路５１には、吹き出し孔５２が設けられている。
【００８８】
縦部７１と挿入部６９との連結箇所のうち、熱媒の下流側に位置する連結箇所は、図７Ｃに示すように、熱媒路４１だけが設けられて、通風路５１が閉じられている（遮断されている）。つまり、この連結箇所は、通風路５１の端部となる。
【００８９】
温水端末３は、送風装置２と熱源機１８とが駆動すると、直管部６７と分岐部６８と挿入部６９とが発熱し、挿入部６９に設けられた吹き出し孔５２から温風を吹き出す。これにより、温水端末３は、輻射熱による加熱と、対流による加熱との両方で、湿った（又は濡れた）履物９４を乾燥させることができる。
【００９０】
（実施形態４）
次に、実施形態４について図８に基づいて説明する。なお、本実施形態は、実施形態１と大部分において同じであるため、同じ部分については説明を省略し、主に異なる部分について説明する。
【００９１】
実施形態４の温水端末３は、布団等の載置物が載置されるすのこ形状をした乾燥機である。この温水端末３は、実施形態１の温水端末３と同様、温水プラグ３１と、放熱部４と、温風加熱部５とを備えている。
【００９２】
本実施形態の温水端末３は、複数の敷板７２を備えている。敷板７２は、上下方向に厚さを有し、左右方向に幅を有し、前後方向に長さを有しており、帯板状に形成される。敷板７２は、左右方向に複数並ぶようにして配置されている。
【００９３】
各敷板７２同士は、左右方向に長い脚部７４によって相互に固定される。脚部７４は、前後方向に所定の間隔を置いて複数箇所に設けられている。脚部７４は、例えば、ウレタンやゴムや樹脂等の断熱材によって構成される。特に、放熱部４が金属によって構成されており、導電性を有しているため、脚部７４は、電気的に絶縁するための絶縁体によって構成されることが好ましい。
【００９４】
本実施形態の放熱部４は、敷板７２によって構成される。敷板７２の厚み内には、内部に熱媒路４１（往路４２および復路４３）と、通風路５１とが設けられている。また、敷板７２の上面には、吹き出し孔５２が設けられている。吹き出し孔５２は、通風路５１に連通している。なお、温風加熱部５は、実施形態１と同様、通風路５１と吹き出し孔５２とによって構成される。
【００９５】
このような構成の温水端末３には、敷板７２の上面（この上面を載置面７３という）に布団等の載置物が載置される。この状態で、送風装置２と熱源機１８とが駆動すると、温水端末３は、敷板７２が発熱し、吹き出し孔５２から温風を吹き出す。これにより、温水端末３は、敷板７２の発熱による加熱と、温風による加熱との両方で、載置物を乾燥させることができる。
【００９６】
なお、敷板７２の断面形状は、図９Ａ，９Ｂ，９Ｃ，９Ｄに示す形状が例示される。
【００９７】
図９Ａに示す敷板７２は、熱媒路４１の往路４２と復路４３との間に通風路５１が設けられる。往路４２と通風路５１と復路４３とは、敷板７２の幅方向に並んでいる。通風路５１は、熱媒路４１（往路４２）に隣接している。また、熱媒路４１と通風路５１とは、断面楕円形状に形成される。
【００９８】
図９Ｂに示す敷板７２は、熱媒路４１の往路４２と復路４３との間に通風路５１が設けられる。往路４２と通風路５１と復路４３とは、敷板７２の幅方向に並んでいる。通風路５１は、熱媒路４１（往路４２）に隣接している。熱媒路４１と通風路５１とは、断面矩形状に形成される。
【００９９】
図９Ｃに示す敷板７２は、熱媒路４１の往路４２の上方に通風路５１が隣接している。熱媒路４１の復路４３は、往路４２の下方に設けられている。すなわち、往路４２と通風路５１と復路４３とは、敷板７２の厚み方向に並んでいる。通風路５１は、熱媒路４１の往路４２に隣接している。熱媒路４１と通風路５１とは、断面が扁平な矩形状に形成される。
【０１００】
図９Ｄに示す敷板７２は、中空形状をしており、底面に半円状の往路４２と復路４３とが設けられている。通風路５１は、敷板７２の往路４２と復路４３以外の箇所に設けられている。この通風路５１は、熱媒路４１に隣接している。
【０１０１】
以上説明したように、本実施形態の温水端末３は、放熱部４が、敷板７２によって構成されている。通風路５１は、敷板７２の厚み内に設けられている。そして、吹き出し孔５２が敷板７２の載置面７３に設けられている。
【０１０２】
このため、本実施形態の温水端末３によれば、敷板７２の載置面７３に布団などの載置物を載置して使用することで、敷板７２の放熱による加熱と、温風による加熱とで、載置物を加熱して効果的に乾燥させることができる。
【０１０３】
なお、実施形態４の温水端末３は、帯状の敷板７２が複数設けられたすのこであったが、一つの敷板７２によって設けられた板体であってもよい。
【０１０４】
（実施形態５）
次に、実施形態５について図１０に基づいて説明する。なお、本実施形態は、実施形態１と大部分において同じであるため、同じ部分については説明を省略し、主に異なる部分について説明する。
【０１０５】
実施形態５の温水端末３は、布団乾燥を行うための乾燥機である。この温水端末３は、実施形態１の温水端末３と同様、温水プラグ３１と、放熱部４と、温風加熱部５とを備えている。
【０１０６】
本実施形態の温水端末３は、第１のユニット８１と、第１のユニット８１に回動自在に連結された第２のユニット８２と、第２のユニット８２に回動自在に連結された第３のユニット８３とを備えている。
【０１０７】
第１のユニット８１は、実施形態１と同じ断面形状の配管を、蛇行するように折り曲げ、面状に配置して構成されている。すなわち、第１のユニット８１は、放熱部４と温風加熱部５とが全面に亙って配置されている。第１のユニット８１には、複数の吹き出し孔（図示せず）が設けられる。すべての吹き出し孔は、同じ方向に臨んでいる（例えば、図に示すように平置きした状態では、すべてが上方又は下方に臨む）。
【０１０８】
第２のユニット８２は、第１のユニット８１の端部に、ヒンジ部８４を介して回動自在に連結される。また、第３のユニット８３は、第２のユニット８２における第１のユニット８１とは反対側の端部に、ヒンジ部８４を介して回動自在に連結される。なお、第２のユニット８２と第３のユニット８３とは、第１のユニット８１と同じ構造であるため説明を省略する。
【０１０９】
第１のユニット８１と第２のユニット８２と第３のユニット８３とは、熱媒路４１同士が連通接続されており、また、通風路５１同士が連通接続されている。なお、図示を省略するが、温水プラグ３１は、第１のユニット８１における配管の上流側の端部に連結されている。
【０１１０】
温水端末３は、図１１に示すように、吹き出し孔が設けられた側の側部に布団を載せた状態で、第１のユニット８１及び第２のユニット８２及び第３のユニット８３を折りたたむことができる。この状態で、送風装置２と熱源機１８とが駆動すると、温水端末３は、放熱部４が発熱し、吹き出し孔から温風を吹き出す。
【０１１１】
これにより、温水端末３は、放熱部４の発熱による加熱と、温風による加熱との両方で、布団を乾燥させることができる。しかも、本実施形態の温水端末３は、第１のユニット８１と第２のユニット８２とによって布団を両側から挟むことができるため、布団を効果的に乾燥させることができる。
【０１１２】
以上説明したように、本実施形態の温水端末３は、第１のユニット８１と、この第１のユニット８１に回動自在に連結された第２のユニット８２とを備えている。第１のユニット８１と第２のユニット８２とは、いずれも、放熱部４と温風加熱部５とが全面に亙って配置されて構成されている。第１のユニット８１および第２のユニット８２の熱媒路４１同士は連通接続されている。また、第１のユニット８１および第２のユニット８２の通風路５１同士も連通接続されている。
【０１１３】
このため、本実施形態の温水端末３は、第１のユニット８１と第２のユニット８２とが回動自在に連結されているため、変形させた状態で物を載せ、当該物を加熱させることができる。これにより、例えば、小さく折りたたんだ状態でも加熱を続けることができる。
【０１１４】
なお、実施形態５の温水端末３は、各ユニットが、配管を蛇行させることで構成されていたが、各ユニットを実施形態４のすのこ状の温水端末３によって構成されてもよい。
【０１１５】
（実施形態６）
次に、実施形態６について図１２に基づいて説明する。なお、本実施形態は、実施形態１と大部分において同じであるため、同じ部分については説明を省略し、主に異なる部分について説明する。
【０１１６】
実施形態６の温水端末３は、結露防止機能を有するカーテンレール８５である。この温水端末３は、実施形態１の温水端末３と同様、温水プラグ３１と、放熱部４と、温風加熱部５とを備えている。
【０１１７】
温水端末３は、直線状に形成されている。温水端末３は、窓側に通風路５１が設けられており、この通風路５１の室内側に隣接して熱媒路４１の往路４２が設けられている。熱媒路４１の復路４３は、往路４２の室内側に隣接している。吹き出し孔５２は、窓ガラス９３に臨んで開口している。
【０１１８】
温水端末３は、支持部９２によって内壁に取り付けられる。温水端末３は、窓枠の上方に水平状態で配置される。温水端末３には、カーテン９が吊り下げられる。カーテン９には、リング状の吊り下げ部９１が複数設けられている。カーテン９は、この吊り下げ部９１を介して温水端末３に取り付けられる。
【０１１９】
温水端末３は、送風装置２と熱源機１８とが駆動すると、放熱部４が発熱し、吹き出し孔５２から温風を吹き出す。温風は、窓ガラス９３に沿って流下し、窓ガラス９３を温める。これにより、窓ガラス９３における結露の発生を防止する。また、放熱部４は、窓ガラス９３周辺（特に窓ガラス上部）を加熱する。
【０１２０】
これにより、温水端末３は、窓ガラス９３のおける結露の発生を抑制することができ、さらに、窓際の冷気によって下降気流が発生する、いわゆるコールドドラフトの発生も抑制することができる。
【０１２１】
以上説明したように、本実施形態の温水端末３は、放熱部４と前記温風加熱部５とがカーテン９レール８５に設けられている。吹き出し孔５２が、窓ガラス９３に臨むように配置される。
【０１２２】
このため、本実施形態の温水端末３によれば、結露の発生を抑制することができる上に、コールドドラフトの発生も抑制することができる。
【符号の説明】
【０１２３】
１      温水コンセント
１１    コンセント本体
１２    往き側接続口
１３    戻り側接続口
１４    空気送出口
１５    空気取り込み口
１８    熱源機
２１    往き側配管
２２    戻り側配管
２３    戻り送風路
２４    往き送風路
２５      外気取り込み路
２６      外気取り込み口
２７      切替手段
２８      制御装置
２９      屋内温湿度検知器
３０      屋外温湿度検知器
３      温水端末
３１    温水プラグ
３２    筒状接続口
４      放熱部
４１    熱媒路
４２    往路
４３    復路
５      温風加熱部
５１    通風路
５２    吹き出し孔
６６    フレキシブル配管
【図１】
2015190677.tif 000003
【図２】
2015190677.tif 000004
【図３】
2015190677.tif 000005
【図４】
2015190677.tif 000006
【図５】
2015190677.tif 000007
【図６】
2015190677.tif 000008
【図７】
2015190677.tif 000009
【図８】
2015190677.tif 000010
【図９】
2015190677.tif 000011
【図１０】
2015190677.tif 000012
【図１１】
2015190677.tif 000013
【図１２】
2015190677.tif 000014